(57)【要約】  本発明は、外底（１２）と足底（１４）を有する底要素（１０）を備えた外反母趾用サンダル（１）に関する。外反母趾用サンダル（１）はさらに、母趾の横方向支持のための母趾用支持体（４０）と、サンダル（１）を履く時に底要素（１０）と協働して中足骨に環状に巻きつく、長さ調節可能な中足ベルト（２０）とを備えている。中足の領域においてサンダル（１）の内側に押圧クッション（３０）が配置され、この押圧クッションは、中足ベルト（２０）を着用することによって押圧クッション（３０）を介して横向きの力を内側の中足骨に加えることができるように配置されている。
2015514528.tif 000002
【特許請求の範囲】
【請求項１】
外底（１２）と足底（１４）を有する底要素（１０）と、
母趾の横方向支持のための母趾用支持体（４０）と、
サンダル（１）を履く時に前記底要素（１０）と協働して中足骨に環状に巻きつく中足ベルト（２０）と、
中足の領域において前記サンダル（１）の内側に配置された押圧クッション（３０）とを備え、前記中足ベルト（２０）を着用することによって前記押圧クッション（３０）を介して横向きの矯正力を内側の中足骨に加えることができるように、前記押圧クッションが配置され、
前記中足ベルト（２０）の長さが変更可能であり、それによって矯正力が調節可能である、外反母趾用サンダル（１）。
【請求項２】
前記サンダル（１）の縦方向における前記押圧クッション（３０）の作用長さが、前記サンダル（１）の中心近くの中足領域（５４）の長さに一致していることを特徴とする請求項１に記載の外反母趾用サンダル（１）。
【請求項３】
前記サンダル（１）の内側における前記中足ベルト（２０）の幅が前記押圧クッション（３０）の作用長さにほぼ一致していることを特徴とする請求項２に記載の外反母趾用サンダル（１）。
【請求項４】
前記中足ベルト（２０）の幅が横方向に狭くなっていることを特徴とする請求項１乃至３のいずれか一項に記載の外反母趾用サンダル（１）。
【請求項５】
前記中足ベルトが台形または三角形の切欠き（２８）を有することを特徴とする請求項４に記載の外反母趾用サンダル（１）。
【請求項６】
前記サンダル（１０）の内側における、前記中足ベルト（２０）と前記底要素（１０）の中間の連結個所が、前記サンダル（１０）の外側における中間の連結個所よりも、前記サンダル（１０）の縦方向において前側に配置されていることを特徴とする請求項１乃至５のいずれか一項に記載の外反母趾用サンダル（１）。
【請求項７】
前記母趾用支持体（４０）が母趾ループ（４２）として形成され、この母趾ループが前記サンダル（１０）の着用時に前記母趾の少なくとも一部に巻きついていることを特徴とする請求項１乃至６のいずれか一項に記載の外反母趾用サンダル（１）。
【請求項８】
前記母趾ループ（４２）の長さが変更可能であることを特徴とする請求項７に記載の外反母趾用サンダル（１）。
【請求項９】
前記中足ベルト（２０）および／または前記母趾ループ（４２）が長さを変更するための面ファスナ（２２、２４）を備えていることを特徴とする請求項１乃至８のいずれか一項に記載の外反母趾用サンダル（１）。
【請求項１０】
前記中足ベルト（２０）の前記面ファスナ（２４）のための受け部（２４）が前記サンダル（１）の外側に配置されていることを特徴とする請求項９に記載の外反母趾用サンダル（１）。
【請求項１１】
前記足底（１４）が整形用足底であることを特徴とする請求項１乃至１０のいずれか一項に記載の外反母趾用サンダル（１）。
【請求項１２】
前記足底（１４）が少なくとも１個の詰め物（１６）、特に固有受容詰め物（１６ａ、１６ｂ、１６ｃ）を有することを特徴とする請求項１乃至１１のいずれか一項に記載の外反母趾用サンダル（１）。
【請求項１３】
前記外底（１２）が前記サンダル（１）に対して横方向に配置された少なくとも１つのロール溝（１８）を有することを特徴とする請求項１乃至１２のいずれか一項に記載の外反母趾用サンダル（１）。
【請求項１４】
前記外底（１２）、前記母趾用支持体（４０）および前記中足ベルト（２０）の一部が合成樹脂で一体に形成されていることを特徴とする請求項１乃至１３のいずれか一項に記載の外反母趾用サンダル（１）。
【請求項１５】
前記押圧クッション（３０）および／または前記足底（１４）が前記外底（１２）、前記母趾用支持体（４０）および前記中足ベルト（２０）の一部と一体に形成されていることを特徴とする請求項１４に記載の外反母趾用サンダル（１）。
【請求項１６】
前記足底（１４）および／または前記押圧クッション（３０）が別個の部品として形成され、交換可能であることを特徴とする請求項１乃至１５のいずれか一項に記載の外反母趾用サンダル（１）。
【発明の詳細な説明】
【技術分野】
【０００１】
本発明は、中足領域と前足領域の欠陥状態、特に外反母趾と呼ばれる母趾の欠陥状態を予防および治療するための外反母趾用サンダルに関する。
【背景技術】
【０００２】
中足領域と前足領域の欠陥状態、特に外反母趾と呼ばれる大きな指の病理学的なゆがんだ状態には、多様な原因がある。一方では、このような欠陥状態は先天性であるかまたは遺伝によって生じ、他方ではこのような欠陥状態は間違った靴を履くことによってあるいは中足領域の不安定性に基づく、特に結合組織の不安定性による縦弓と横弓の偏平化によって引き起こされる。開張足と呼ばれるこの横弓の偏平化によって、個々の中足骨または指骨が放射状に広げられる。従って、第１放射体の中足骨、すなわち内側にまたは中心近くに配置された中足骨は、内側に広げられる。それによって、残りの指と異なり固有の腱器官を有する母趾の腱はもはや母趾基関節の中央を通らず、予め定められたその長さに基づいて母趾基関節の横方向を、すなわち母趾基関節の外側を通る。従って、母趾は外側に向いた斜めの位置に引っ張られる。外反母趾の形成はさらに、縦弓の下降によって強められる。というのは、主として中心近くのこの下降に基づき解剖学的な原因により、中足または前足が上から見て外側に回転するからである。
【０００３】
位置と方向の記載に関して、本明細書では、解剖学で一般的であるように、体の中心に中心を置いた座標系が使用される。これに応じて、内側のまたは内側に位置するまたは中心に近いは、体の中心の方にあることを意味するかまたはその都度他方の足寄りであることを意味する。外側に位置するまたは横方向はその都度体の中心とは反対の側を意味するので、横方向は体の中心から離れた側、従ってその都度他方の足から離れた側を示す。
【０００４】
中足骨と、それに付属しその前に配置された指骨は、放射体とも呼ばれる。その際、内側にある中足骨と、その前に配置された内側にある指骨が第１放射体と見なされる。個々の放射体は横方向に昇順の通し番号が付けられるので、外側に位置する中足骨とその前に配置された付属する指骨は第５放射体を形成する。
【０００５】
外反母趾疾患を矯正および／または予防するためにいろいろなサンダルが先行技術から知られている。特に独国実用新案第２０２００８００８１０６号明細書から、好ましくはフリップ−フロップ−サンダルとして形成されたサンダルが知られている。このフリップ−フロップ−サンダルは靴底と、母趾を残りの指から分離して収容するための母趾収容区画を備えている。この公知のサンダルはさらに、中足を支持するための中足骨バンデージを備えている。この中足骨バンデージは上靴の側面から底中心の方へ内側に引っ張られている側方の足底支持区間を有する。中足骨バンデージはセンタリング装置を介して靴底上でセンタリングされている。この先行技術は請求項１の前提概念で考慮されている。
【０００６】
フリップ−フロップ−サンダルの中足骨バンデージによって、半径方向の矯正力がバンデージの全周にわたって中足領域に限定されずに加えられる。着用時に中足領域はすべての側からほぼ均一に圧力負荷されるので、中足骨は限定されずに圧縮される。さらに、特に側方の足底エッジを持ち上げる際に、靴底および母趾に対する中足領域の向きが明確に定められない。中足の領域内で、サンダルの縦軸線に対して足の縦軸線が移動または回転し得る。
【先行技術文献】
【特許文献】
【０００７】
【特許文献１】独国実用新案第２０２００８００８１０６号明細書
【発明の概要】
【発明が解決しようとする課題】
【０００８】
本発明の課題は、この先行技術に関連して、歩行運動中も中足領域が第１放射体の指骨に対して方向を完全に合わせられて維持され、欠陥状態を予防および／または治療するために所定の矯正力がやさしく足に加えられるサンダルを提供することである。
【課題を解決するための手段】
【０００９】
この課題は、請求項１に記載の本発明に係る外反母趾用サンダルによって解決される。本発明に係るサンダルの他の有利な実施形は従属請求項から明らかである。
【００１０】
本発明に係る外反母趾用サンダルは、外底と足底を有する底要素を備えている。外反母趾用サンダルはさらに、母趾の横方向支持のための母趾用支持体を備えている。中足ベルトはサンダルを履く時に足底要素と共にサンダル着用者の中足骨に環状に巻きつく。中足ベルトはその長さを調節可能である。中足の領域においてサンダルの内側に、押圧クッションが配置され、この押圧クッションは、中足ベルトを着用することによって押圧クッションを介して横向きの力を内側の中足骨に加えることができるように配置されている。押圧クッションは特に中足ベルトの内側でサンダルの中心に近い領域内に配置されている。それによって、サンダル着用時に、押圧クッションは中足ベルトと第１放射体の中足骨との間にある。
【００１１】
本発明に係るサンダルは縦方向において実質的に３つの領域に分割されている。その際、領域への分割はサンダルの着用者の足に対応している。領域の近似的な記載のために、それぞれの足の長さまたは靴の大きさの規格足に基づいて、領域のそれぞれの長さの平均値を用いることができる。後側領域には足根骨があり、この足根骨はサンダルまたは底要素の足根領域または後足領域を定める。足根領域はかかと領域内に最初に踵骨を備え、そして側方において踵骨の幾分前方に距骨を備えている。その前の指の方向に、立方骨と舟状骨がある。立方骨の側方および舟状骨の前にさらに、３つの楔状骨がある。足根骨には、縦方向においてその前に、中足骨が接続している。この中足骨はオッサ  メタタルザリア（Ｏｓｓａ  Ｍｅｔａｔａｒｓａｌｉａ）とも呼ばれ、中足領域または中足を定めている。その際、中心に近い中足骨は、横方向の中足骨と比べて、爪先の方へ幾分前方に移動している。それによって、中足領域の境界が足内側から足外側に向けて足縦方向で後側に移動している。中足領域の前方に、指領域または前足領域が配置されている。指領域または前足領域は母趾の２つの指骨と、第２、第３、第４および最小の指のそれぞれ３つの指骨によって定められる。この３つの領域はそれぞれ、足の全長のそれぞれ３分の１にほぼ一致する。
【００１２】
押圧クッションは本発明に従い、ほぼ足縦方向に向いた作用長さを有する。押圧クッションに当てがった状態で、この作用長さにわたって、押圧クッションの有効表面積が足に接触する。押圧クッションに当てがうために、好ましくは中足ベルトの長さが変更または短縮される。その際、長さは一般的に、靴、特に中足ベルトと足底がほぼ中足に接触し、中足に巻きつき、そして所望な矯正力が得られるように短縮される。当てがう際に、押圧クッションおよび／または中足ベルトは材料に応じて特に弾性的に変形することができる。押圧クッションの作用長さは好ましくはサンダルの中央足領域に一致する。それによって、押圧クッションは中足骨の全長にわたって中足骨に接触する。従って、矯正力が中足骨の全長に横方向に加えられる。その際、通常は、矯正力が骨、特に母趾基関節の骨に直接加えられずに、第１中足骨の軟部を介して間接的に加えられることに留意すべきである。これは押圧力による苦痛や組織の損傷を防止する。従って、矯正力は押圧クッションの前側範囲において特に母趾基関節の後側で、中足骨の中心近くの軟部組織に作用し、中足骨の全長にわたって後側へ延在する。中足ベルトの内側の幅は好ましくは同様に、押圧クッションの作用長さにわたって延在している。それによって、中足ベルトによって押圧クッションに加えられる力は均一に作用する。
【００１３】
押圧クッションは、好ましくは中足ベルトとサンダル着用者の足との間に配置された三次元的に形成された要素である。その際、押圧クッションの厚さ、すなわち中足ベルトから足の方への長さは、用途、治療等に応じて変更可能である。押圧クッションは中足ベルト要素および／または底要素に固定可能であるので、その長さと向きは明確に定められる。押圧クッションを三次元的な形に形成することにより、中心に近い中足骨に対する押圧力の作用および押圧力の分配を調節および変更可能である。その際、押圧クッションは好ましくは、尖ったエッジを生じることなく、流れるような形で中足ベルトに組み込まれる。押圧クッションは好ましくは前側領域に、後側領域の厚さよりも大きな厚さを有する。その際、押圧クッションの形状はくさび形、凸形等であってもよい。押圧クッションは例えば凸形に形成可能であり、かつ足弓に合わせることができる。急激な形状の変化と、それによって生じる押圧力の変化は避けるべきである。それによって、押圧クッションのいろいろな領域が流れるような移行部を有する輪郭を形成するので、特に押圧クッションの端部で押圧力の変化が連続的に行われる。押圧クッションと中足ベルトの長さ変更との協働により、得るべき矯正力の大きさおよび／または向きを、第１中足骨に合わせて適切に調節可能である。それによって、外反母趾の治療が改善される。
【００１４】
中足ベルトの幅は好ましくは内側から外側へ狭くなっている。それによって、中足ベルトは押圧クッションの範囲において最大幅を有する。これは押圧クッションへの押圧力の伝達を改善する。中足ベルトは外側に向かって狭くなっている。中足ベルトはサンダルの高い底エッジにも接続可能である。高い底エッジは同様に、サンダルの内側において押圧クッションの領域内に形成可能である。重量と材料コストを最適化するためおよび足の良好な通気を行うために、サンダルは中足ベルト内に、台形または三角形の切欠きを有する。この切欠きは好ましくは、押圧クッションに接続する内側に、最大長さを有し、外側に向かって狭くなっている。中足ベルトを着用する際の力によって生じる負荷ピークを低減するために、中足ベルトと切欠きにおいて、尖った角が回避される。
【００１５】
上述のように、中足領域は上から見て、内側から外側へ斜め後方に延在している。中足ベルトの中心は好ましくは中足領域の境界に対してほぼ平行に延在している。これにより、中心は同様に、足内側から足外側に向かって後方に延在する。その際、ベルトの前側端部と後側端部の間の中心が、中足ベルトの中央の連結個所を設けた中足ベルトの中心として見なされるので、中心は中足ベルトの縦方向においてほぼ重心線に一致する。中足ベルトの中心が斜めに経過することにより、サンダルの内側の中央の連結個所が、サンダルの外側の中央の連結個所よりも前側にずらされている。
【００１６】
中足ベルトは好ましくは面ファスナによってその長さを変更可能である。中足ベルトの長さを短縮することにより、中足ベルトが張られるので、サンダルを履いた状態で、引張り力が中足ベルトに加えられる。この矯正力は中足ベルトと押圧クッションを介して、第１放射体の中足骨に適切に加えられる。その代わりに、例えばバックルのような適当な締結具を有する弾性的な要素または引張りベルトのような締付け手段を使用することができる。好ましくは、面ファスナがサンダルまたは中足ベルトの外側に配置される。面ファスナの第１端部が底要素内に組み付けると有利である。面ファスナの他の要素、すなわち面ファスナ用受け部は、サンダルの外側、特に高い底エッジに配置される。面ファスナの自由な第２端部は、いろいろな位置で受け部に固定可能である。それによって、可変長さを有するループが形成され、中足ベルトの長さを変更可能である。その代わりに、中足ベルトは中心に近い中足ベルト要素としておよび横方向の中足ベルト要素として形成されている。この場合、長さの変更はオーバーラップの大きさの変更によって行われる。両要素は可変オーバーラップによって異なる位置で例えば押しボタンまたは面ファスナを介して互いに連結可能である。
【００１７】
母趾支持体は好ましくは母趾ループとして形成されている。その際、母趾ループはサンダルの着用状態で母趾を少なくとも部分的に環状に取り巻いている。母趾ループがＵ字状に形成され、２個所で底要素に連結されていると有利である。母趾支持体は好ましくは特にその位置および／または長さを調節可能である。それによって、母趾に対する支持作用が調節される。長さは例えば面ファスナを介して調節可能である。中足ベルトの調節装置に類似して、いろいろな形成が可能である。その代わりに、母趾支持体はウェブとして形成可能であり、この場合このウェブに母趾が接触する。
【００１８】
外反母趾用サンダルの足底は好ましくは整形用足底として形成されている。整形用足底は特に縦弓および／または横弓と、指用収容部または窪みを備えている。足底は１個または複数の詰め物（ペロット）を備えることができる。詰め物は一般的に、医用の足底の隆起部である。さらに好ましくは、少なくとも１個の詰め物が固有受容性の詰め物であり、ゴルジの教えに従って形成されている。それによって、詰め物は筋肉の張りを調整する働きをする押圧力を足に加える。その際、外反母趾の治療を補助するように、筋肉に影響を及ぼす。
【００１９】
さらに好ましくは、底要素がその下側に、すなわち外底の範囲内に、底に対して横向きにロール溝を備えている。このロール溝は、自然のロール（回転）運動を補助するように配置されている。そのために、溝はつま先の自然のロール軸の下方に配置されている。ロール溝は好ましくは自然のロール軸に対して平行に延在している。少なくとも１つのロール溝が形成されている。しかし一般的には、縦方向に前後してかつ互いに平行に配置した複数のロール溝が底に形成されている。
【００２０】
本発明に係る外反母趾用サンダルは、サンダル製造において先行技術で慣用されている、例えば合成樹脂、コルク、皮革等のような公知のいろいろな種類の材料で作ることができる。特に底要素は、例えばＥＶＡ等からなる減衰吸収層または要素のような他の構成部材を有することができる。外底、母趾支持体および中足ベルトの一部は好ましくは合成樹脂で一体に形成されている。一体形成は例えば合成樹脂顆粒の焼成または合成樹脂の射出成形または発泡によって行うことができる。特に、クロックス（Ｃｒｏｃｓ）サンダルに似た材料を使用することができる。このような材料は内在するある程度の弾性を有する。その際好ましくは、調節機構、例えば面ファスナを除く中足ベルトのすべての部分が合成樹脂で一体に作られている。調節機構は製造時にインサートとして形成可能であり、製造方法の際に合成樹脂に固定連結することができる。このような実施形の場合、足底および／または押圧クッションは別個の部品として形成可能であり、それによって交換可能である。特に、足底は別々に形成される。足底は外底の凹部に挿入され、その位置に摩擦連結的に保持される。それによって、足底は着用者に適合可能であり、さらに外底とは異なる材料または異なる混合材料で製作可能である。底は好ましくは第１指と第２指との間の範囲において前側端部から溝を形成されている。それによって、母趾支持体または母趾ループを外底と一体に形成することができ、足底を通って案内することができる。これは、要素をサンダルの個々の形状および着用者の要求に合わせることができるという利点がある。従って、例えば矯正力の大きさを、押圧クッションの大きさと形状によって、外反母趾欠陥状態の程度に合わせることができる。さらに、適当な足底によって、足の個々の特殊性を考慮することができる。
【００２１】
その代わりに、押圧クッションおよび／または足底が外底、母趾支持体および中足ベルトの一部と一体に形成されている。このような実施形の場合にも、サンダルの他の部品を、例えば製造プロセス時にインサートとして組み込むことができる。それによって、外反母趾欠陥状態を治療するための、効果的で、頑丈でそして低コストのサンダルを製造することができる。
【００２２】
本発明に係る外反母趾用サンダルにより、外反母趾欠陥状態の予防および／または治療が改善される。その際、治療は「後側から前側へ」の原則に従って行われる。これは、欠陥状態の治療が指領域で行われるのではなく、中足、すなわち「後側で」で行われ、そして「前側へ」指領域に進められることを意味する。押圧クッションによって、中足骨に対する矯正力を適切にかつやさしく調節することができる。交換可能および／または個々に適合可能な押圧クッションを使用することにより、それぞれの足に対する矯正力の作用をさら改善することができる。矯正力の調節は特に、中足ベルトの長さの変更によって行われる。それによって、中足ベルトを介して引張り力が発生し、この引張り力は押圧クッションを介して、適切に、すなわち大きさと方向を定めて、中足骨に伝達される。この矯正力は母趾支持体に逆らって作用し、母趾が中足骨によって横方向に逸れずに、第１放射体の軸線に沿って真っ直ぐに向けられる。この治療によって、中足骨を広げないようにし、母趾支持体を介して中心に近い支持力が母趾に加えられる。これは外反母趾の効果的な治療または予防をもたらす。
【図面の簡単な説明】
【００２３】
【図１】本発明に係るサンダルの平面図である。
【図２】サンダルを履いた状態の平面図である。
【図３】足骨に接する本発明に係る押圧クッションを示す。
【図４】本発明に係るサンダルの正面図である。
【図５】本発明に係るサンダルを下から見た図である。
【図６】本発明に係るサンダルの三次元図である。
【発明を実施するための形態】
【００２４】
次に、図に示した有利な実施の形態に基づいて本発明を詳しく説明する。
【００２５】
図１には、本発明による外反母趾用サンダル１が示してある。このサンダル１は外底１２（図６参照）と足底１４を有する底要素１０を備えている。サンダル１または足底１４は実質的に３つの領域、すなわち足根領域５２、中足領域５４および指領域５６に分割されている。これらの領域は人の足の領域に一致している。これに関連して図２には、サンダル１を履いたときにサンダルに収容される足または足骨５０の状態が示してある。足骨５０の後側領域には足根骨５２ａが配置されている（図３）。縦方向においてその前に中足骨５４ａが配置され、その前にさらに指骨５６ａが配置されている。足底１４またはサンダル１は、足と同様に、対応する骨によって定められたこれらの３つの領域５２、５４、５６を備えている。これらの領域は足全体の長さのそれぞれほぼ３分の１によって表示可能である。この場合、それぞれの絶対的な長さは靴のサイズまたは足の長さに従う。その違いは着用者のそれぞれの足の個々の形状によって生じる。
【００２６】
サンダル１はさらに、中足ベルト２０を備えている。この中足ベルト２０はサンダル１のほぼ中足領域５４内に配置されている。中足ベルト２０はサンダル内側で底要素１０と一体に形成されている。中足ベルト２０は横方向に面ファスナ２２を備えている。この面ファスナ２２は底外側エッジの中心近くで底要素１０内に埋め込まれ、この底要素から外に案内されている。底要素１０における面ファスナ固定部はサンダル１を履いたときに中足の横方向領域の下方にある。面ファスナは中足ベルト２０内の折り返し部２６としての穴を通り、面ファスナ受け部２４を介してサンダル１の底要素の外面に固定可能である。従って、面ファスナ２２によってループが形成され、このループを介して中足ベルト２０の長さが変更のために可変調節可能である。
【００２７】
中足ベルト２０はその名称に相応してサンダル１の中足領域内に配置され、底要素１０または足底１４と共に中足領域５４内で、着用状態の足に環状に巻きついている。従って、中足ベルト２０の長さを短くすることによって中足骨５４ａを締付けることができる。
【００２８】
中足ベルト２０の幅はサンダル１の内側でサンダル１の中足領域５４の長さにほぼ一致している。中足ベルト２０の幅は横方向に短くなっている。さらに、中足ベルト２０はその横方向端部で、その中心に近い端部に対して足縦方向後側へずれている。従って、中足ベルト２０は足またはサンダル１の中足領域５４に対してほぼ平行に延在している。その際、中足ベルト２０には台形の切欠き２８が形成されている。それによって、重量が低減されるかまたは材料コストが低減されると共に、力の作用が最適化される。
【００２９】
中足ベルト２０の範囲においてサンダル１の内側には、押圧クッション３０が配置されている。この押圧クッション３０は中足ベルト２０と足底１４の内側と一体に形成されている。その際、押圧クッション３０は作用長さＬにわたって足の内側に接触する。押圧クッション３０は図３の平面図に示すように、ほぼくさび状に形成されている。この場合、前側範囲は後側範囲よりも大きな厚みを横方向に有する。押圧クッション３０はサンダル１を履く際に、中足ベルト２０と内側の中足骨５４ａ、すなわち第１放射体の中足骨５４ａとの間にある。面ファスナ２２によって中足ベルト２０が引っ張られることで、押圧クッション３０を介して、第１放射体の中足骨５４に矯正力ＦKが加えられる。その際、矯正力ＦKはほぼ横方向に作用する。矯正力ＦKを加えることにより、中足骨５４ａ、特に第１放射体の中足骨５４ａが広がらないようにする。すなわち、この中足骨が欠陥状態をとらないようにし、従って外反母趾に対して反作用する。押圧クッション３０のくさび状形成に基づいて、矯正力ＦKは中足５４の後側範囲よりも前側範囲が大きい。その際、前側の力作用点は母趾の基関節の後側の軟部の範囲に位置する。押圧クッション３０または作用長さＬはほぼサンダル１の中足領域５４の全長にわたってあるいは第１放射体の中足骨５４ａの全長にわたって形成されている。
【００３０】
大きな指は横方向において母趾支持体４０によって支持されている。この母趾支持体は母趾ループ４２として形成されている。このループ４２は図４に示すように、ほぼ半円形に形成され、足底１４と共に母趾に環状に巻きついている。それによって、母趾ループ４２は母趾の横方向移動に逆らうように作用する。この横方向移動は特に、押圧クッション３０を介して第１放射体の中足骨５４ａに横方向矯正力ＦKを加えることによって生じる。従って、外反母趾の欠陥状態に逆らい、この欠陥状態を矯正するために、矯正力ＦKが第１放射体の中足骨５４ａに加えられ、反対向きの力ＦWが第１放射体の指骨５６ａに加えられる。矯正力ＦKは中足ベルト２０の長さまたは面ファスナ２２の長さを介して着用者自身によって調節可能である。
【００３１】
足底１４は図１と図６に示すように解剖学的に形成され、中足と後足の領域に多数の詰め物１６、すなわち隆起部を備えている。筋肉の張力を調節する目的で神経組織に影響を及ぼすために、レトロキャピタル（Ｒｅｔｒｏｋａｐｉｔａｌ、）詰め物（中足骨下詰め物）１６ａと母趾詰め物１６ｂがゴルジ（Ｇｏｌｇｉ）の教えに従って配置されている。レトロキャピタル詰め物１６ａは中足領域に全幅にわたって配置され、足骨の下方に延在する指の腱に押圧力を加える。腱に対する押圧力は指屈筋を弛緩させることになる。この弛緩作用は中足の中央領域において母趾詰め物１６ｂによって強められる。この母趾詰め物がレトロキャピタル詰め物１６ａの上に配置されているので、ここでは、足底からの隆起部がさらに高められている。母趾詰め物１６ｂは着用時に、付加的な押圧力を骨の下方にある母趾の腱に生じる。さらに、縦方向において母趾詰め物１６ｂの後側に、外反詰め物１６ｃが足底１４の中心近くの領域内に配置されている。この外反詰め物は中心近くの後足域内のその位置によって、縦足弓筋肉に作用する。それによって、縦足弓が直立させられる。
【００３２】
外底１２は図５に示すようにその下面に、ロール溝１８を横方向に備えている。このロール溝１８は足の自然のロール軸に対して平行に下方へずれている。
【００３３】
サンダル１は合成樹脂によって実質的に一体に製作されている。面ファスナ２２だけがインサートとして組み込まれている。これは、面ファスナ２２の一端を底要素１０に固定連結することによって行われる。さらに、サンダル１はその外面に、面ファスナ２２のための受け部２４を備えている。この受け部は同様に、インサートとしてサンダル１に固定連結されている。面ファスナ受け部２４はフックを有するフェルト製テープとして形成され、面ファスナ２２はフリーステープとして形成されている。
【符号の説明】
【００３４】
１        サンダル
１０      底要素
１２      外底
１４      足底
１６      詰め物
１６ａ    レトロキャピタル詰め物
１６ｂ    母趾詰め物
１６ｃ    外反詰め物
１８      ロール溝
２０      中足ベルト
２２      面ファスナ
２４      面ファスナ受け部
２６      折り返し部
２８      切欠き
３０      押圧クッション
４０      母趾支持体
４２      母趾ループ
５０      足骨
５２      足根領域
５２ａ    足根骨
５４      中足領域
５４ａ    中足骨
５６      指領域
５６ａ    指骨
【図１】
2015514528.tif 000003
【図２】
2015514528.tif 000004
【図３】
2015514528.tif 000005
【図４】
2015514528.tif 000006
【図５】
2015514528.tif 000007
【図６】
2015514528.tif 000008
【手続補正書】
【提出日】平成26年10月29日(2014.10.29)
【手続補正１】
【補正対象書類名】特許請求の範囲
【補正対象項目名】全文
【補正方法】変更
【補正の内容】
【特許請求の範囲】
【請求項１】
外底（１２）と足底（１４）を有する底要素（１０）と、
母趾の横方向支持のための母趾用支持体（４０）と、
サンダル（１）を履く時に前記底要素（１０）と協働して中足骨に環状に巻きつく、長さ調節可能な中足ベルト（２０）と、
を備えた外反母趾用サンダル（１）において、
中足の領域においてサンダル（１）の内側に配置された、作用長さ（Ｌ）を有する押圧クッション（３０）を備え、前記中足ベルト（２０）を着用することによって前記押圧クッション（３０）を介して横向きの矯正力を内側の中足骨に加えることができるように、前記押圧クッションが配置され、前記中足ベルトの長さの変更によって矯正力が調節され、前側の力作用点が軟部の領域において母趾基関節の後側に位置していることを特徴とする外反母趾用サンダル（１）。
【請求項２】
前記サンダル（１）の縦方向における前記押圧クッション（３０）の作用長さが、前記サンダル（１）の中心近くの中足領域（５４）の長さに一致していることを特徴とする請求項１に記載の外反母趾用サンダル（１）。
【請求項３】
前記サンダル（１）の内側における前記中足ベルト（２０）の幅が前記押圧クッション（３０）の作用長さにほぼ一致していることを特徴とする請求項２に記載の外反母趾用サンダル（１）。
【請求項４】
前記中足ベルト（２０）の幅が横方向に狭くなっていることを特徴とする請求項１乃至３のいずれか一項に記載の外反母趾用サンダル（１）。
【請求項５】
前記中足ベルトが台形または三角形の切欠き（２８）を有することを特徴とする請求項４に記載の外反母趾用サンダル（１）。
【請求項６】
前記サンダル（１０）の内側における、前記中足ベルト（２０）と前記底要素（１０）の中間の連結個所が、前記サンダル（１０）の外側における中間の連結個所よりも、前記サンダル（１０）の縦方向において前側に配置されていることを特徴とする請求項１乃至５のいずれか一項に記載の外反母趾用サンダル（１）。
【請求項７】
前記母趾用支持体（４０）が母趾ループ（４２）として形成され、この母趾ループが前記サンダル（１０）の着用時に前記母趾の少なくとも一部に巻きついていることを特徴とする請求項１乃至６のいずれか一項に記載の外反母趾用サンダル（１）。
【請求項８】
前記母趾ループ（４２）の長さが変更可能であることを特徴とする請求項７に記載の外反母趾用サンダル（１）。
【請求項９】
前記中足ベルト（２０）および／または前記母趾ループ（４２）が長さを変更するための面ファスナ（２２、２４）を備えていることを特徴とする請求項１乃至８のいずれか一項に記載の外反母趾用サンダル（１）。
【請求項１０】
前記中足ベルト（２０）の前記面ファスナ（２４）のための受け部（２４）が前記サンダル（１）の外側に配置されていることを特徴とする請求項９に記載の外反母趾用サンダル（１）。
【請求項１１】
前記足底（１４）が整形用足底であることを特徴とする請求項１乃至１０のいずれか一項に記載の外反母趾用サンダル（１）。
【請求項１２】
前記足底（１４）が少なくとも１個の詰め物（１６）、特に固有受容性の詰め物（１６ａ、１６ｂ、１６ｃ）を有することを特徴とする請求項１乃至１１のいずれか一項に記載の外反母趾用サンダル（１）。
【請求項１３】
前記外底（１２）が前記サンダル（１）に対して横方向に配置された少なくとも１つのロール溝（１８）を有することを特徴とする請求項１乃至１２のいずれか一項に記載の外反母趾用サンダル（１）。
【請求項１４】
前記外底（１２）、前記母趾用支持体（４０）および前記中足ベルト（２０）の一部が合成樹脂で一体に形成されていることを特徴とする請求項１乃至１３のいずれか一項に記載の外反母趾用サンダル（１）。
【請求項１５】
前記押圧クッション（３０）および／または前記足底（１４）が前記外底（１２）、前記母趾用支持体（４０）および前記中足ベルト（２０）の一部と一体に形成されていることを特徴とする請求項１４に記載の外反母趾用サンダル（１）。
【請求項１６】
前記足底（１４）および／または前記押圧クッション（３０）が別個の部品として形成され、交換可能であることを特徴とする請求項１乃至１５のいずれか一項に記載の外反母趾用サンダル（１）。
【国際調査報告】
2015514528.tif 000009
2015514528.tif 000010
2015514528.tif 000011
2015514528.tif 000012
2015514528.tif 000013
2015514528.tif 000014